(57)【要約】  本発明は、マザーボード(4)と、N個の入出力接点(10)を含有する少なくとも1つのグループ(601、602、603)を備える入出力コネクタ(6)と、入出力接点に電気的に接続される拡張接点を有する拡張スロット(80から91)を含有するセット(7、9、11)とを備える電子回路において、各入出力接点は、識別子Tによって識別され、各拡張スロットは、識別子Sによって識別され、各接続拡張接点は、識別子Rによって識別され、識別子Sの各拡張スロット、および拡張子Rの各接続拡張接点について、識別子Tの各入出力接点は、識別子Sの拡張スロットの識別子Rの単一の拡張接点に電気的に接続され、識別子Tは、次の関係式、T = [(R + D x S) modulo (N)]に従って計算され、ただしDは、各グループにおいて固定され、自然数Nの整数約数である、電子回路に関する。
2019518329.tif 000002
【特許請求の範囲】
【請求項１】
a)マザーボード(4)と、
b)前記マザーボード(4)上に取り付けられる入出力コネクタ(6)であって、前記入出力コネクタ(6)は、N個の入出力接点(10)を含有する少なくとも1つのグループ(601、602、603)を備え、Nは、2以上の自然数である、入出力コネクタ(6)と、
c)前記マザーボード(4)上に取り付けられる拡張スロット(80から91)を含有する少なくとも1つのセット(7、9、11、24、26、28)であって、前記少なくとも1つのセット(7、9、11、24、26、28)の各拡張スロット(80から91)は、前記少なくとも1つのグループ(601、602、603)の入出力接点(10)に電気的に接続される拡張接点(12')を有する、拡張スロット(80から91)を含有する少なくとも1つのセット(7、9、11、24、26、28)とを備え、
前記少なくとも1つのグループの各入出力接点(10)は、識別子Tによって識別され、前記少なくとも1つのセット(7、9、11、24、26、28)の各拡張スロット(80から91)は、識別子Sによって識別され、各接続拡張接点(12')は、識別子Rによって識別され、識別子T、R、およびSは、0以上の自然数である電子回路(2、20)において、
・前記少なくとも1つのセット(7、9、11、24、26、28)の識別子Sの各拡張スロット(80から91)、および
・識別子Rの各接続拡張接点(12')について、
前記少なくとも1つのグループ(601、602、603)の識別子Tの各入出力接点(10)が、前記少なくとも1つのグループ(601、602、603)の識別子Sの前記拡張スロット(80から91)の識別子Rの単一の拡張接点(12')に電気的に接続されること、ならびに
前記少なくとも1つのグループ(601、602、603)の前記入出力接点(10)の前記識別子Tが、次の関係式、
T = [(R + D x S) modulo (N)]
に従って、RおよびS識別子の関数として計算され、ただしDが、各グループにおいて固定され、自然数Nの整数約数であることを特徴とする、電子回路(2、20)。
【請求項２】
少なくとも1つの電子部品(46、48、50)および前記電子部品(46、48、50)に電気的に接続される少なくとも1つの接触ピン(44)を備える少なくとも1つの拡張カード(32、34、38、40、42、52、54、56)を含み、前記少なくとも1つの接触ピン(44)は、前記拡張カード(32、34、38、40、42、52、54、56)の一端に配置され、少なくとも1つの拡張スロット(80から91)の少なくとも1つの拡張接点(12')に挿入され、前記自然数Dは、前記接触ピン(44)数以下である、請求項1に記載の電子回路(2、20)。
【請求項３】
前記少なくとも1つの電子部品(46、48、50)は、複数の接触ピン(44)に接続され、前記接触ピン(44)は、互いに直接隣接している、請求項2に記載の電子回路(2、20)。
【請求項４】
前記拡張接点(12')は、左から右へまたは右から左へ昇順に識別子によって識別され、第1の拡張スロット(80)と呼ばれる、前記入出力コネクタ(6)に直接接続される前記拡張スロットは、0に等しい拡張子Sを有し、前記第1の拡張スロット(80)に直接接続される前記拡張スロット(81)は、1に等しい識別子Sを有する、請求項1から3のいずれか一項に記載の電子回路(2、20)。
【請求項５】
前記識別子Sは、0と少なくとも(N/D)-1との間で変化する、請求項1から4のいずれか一項に記載の電子回路(2、20)。
【請求項６】
前記自然数Dは、1に等しい、請求項1から5のいずれか一項に記載の電子回路(2、20)。
【請求項７】
前記自然数Dは、2に等しい、請求項1から5のいずれか一項に記載の電子回路(2、20)。
【請求項８】
前記自然数Dは、4に等しい、請求項1から5のいずれか一項に記載の電子回路(2、20)。
【請求項９】
前記入出力コネクタ(6)は、計算ユニット(30)に組み込まれる、請求項1から4のいずれか一項に記載の電子回路(2、20)。
【請求項１０】
少なくとも2つのセット(7、9、11、24、26、28)を有し、1つのセット(7、9、11、24、26、28)の前記拡張接点(12')は、1つのグループ(601、602、603)の前記入出力接点(10)に電気的に接続され、
前記拡張スロット(80から91)は、グリッド配置に前記マザーボード(4)上で配置され、
同じセット(7、9、11、24、26、28)の前記拡張スロット(80から91)は、第1の直線(D1)に沿って並べられ、2つの異なるセット(7、9、11、24、26、28)の少なくとも2つの拡張スロットは、前記第1の直線(D1)に垂直に延びる第2の直線(D2)に沿って並べられる、請求項1から9のいずれか一項に記載の電子回路(2、20)。
【請求項１１】
少なくとも1つの拡張スロット(80から91)に挿入される少なくとも1つの拡張カード(32、34、36)を有し、前記拡張カード(32、34、36)は、前記マザーボード(4)に垂直に延びる、請求項1から10のいずれか一項に記載の電子回路(2、20)。
【請求項１２】
少なくとも1つの拡張スロット(80から91)に挿入される少なくとも1つの拡張カード(32、34、36)を有し、前記拡張カード(32、34、36)は、前記マザーボード(4)に平行に延びる、請求項1から10のいずれか一項に記載の電子回路(2、20)。
【発明の詳細な説明】
【技術分野】
【０００１】
本発明は、電子回路の入出力データを管理する分野内に入る。
【０００２】
特に、本発明は、航空学の分野において使用される電子回路に関する。
【背景技術】
【０００３】
その分野では、あらゆる電子回路は、製造業者の要求に従って特別に設計される。図1を参照すると、電子回路102は、例えばマザーボード104、入出力コネクタ106、主計算ユニット130、拡張スロット180、181、および182、ならびに拡張カード108を備える。入出力コネクタ106は、入出力データを受け取る/伝達することができる入出力接点110を有する。拡張スロット180、181および182は、入出力接点110に電気的に接続される拡張接点112を備える。拡張カード108は、拡張スロット180、181、182に挿入される接触ピン114を提供される。電子部品116は、拡張カード108上に取り付けられ、ピン114に電気的に接続される。拡張カード108は、例えば温度または位置を計算するなどの、電子回路内の機能を実行するために開発された。拡張カード108によって実施される機能の結果は、電気的接続によって主計算ユニット130に伝達される。
【０００４】
航空機製造業者が、例えば回路を航空機の範囲に適合させるためにまたは単に顧客からの特定の注文を満たすために、付加的機能性を既存の電子回路に追加したい、または機能性を変更したいと思うとき、ほとんどの場合、入出力接点110のセットは、拡張接点112にすでに接続されているので、回路基板全体が、再開発されなければならない。すべての拡張接点112が、すでに使用されているとき、新しいマザーボード104が、再開発されなければならない。この開発は、長い時間かかる。電子回路または拡張カードの開発は、高価である。
【発明の概要】
【発明が解決しようとする課題】
【０００５】
本発明の目的は、新しい機能が、容易にかつすぐに実施できる、または機能が、容易に変更できる、標準的アーキテクチャを有する回路基板を設計することである。
【課題を解決するための手段】
【０００６】
この目的を達成するために、本発明は、
a)マザーボードと、
b)マザーボード上に取り付けられる入出力コネクタであって、前記入出力コネクタは、N個の入出力接点を含有する少なくとも1つのグループを備え、Nは、2以上の自然数である、入出力コネクタと、
c)マザーボード上に取り付けられる拡張スロットを含有する少なくとも1つのセットであって、少なくとも1つのセットの各拡張スロットは、少なくとも1つのグループの入出力接点に電気的に接続される拡張接点を有する、拡張スロットを含有する少なくとも1つのセットとを備える電子回路において、
少なくとも1つのグループの各入出力接点は、識別子Tによって識別され、少なくとも1つのセットの各拡張スロットは、識別子Sによって識別され、各接続拡張接点は、識別子Rによって識別され、識別子T、R、およびSは、0以上の自然数であり、
・少なくとも1つのセットの識別子Sの各拡張スロット、および
・識別子Rの各接続拡張接点について、
少なくとも1つのグループの識別子Tの各入出力接点が、少なくとも1つのグループの識別子Sの拡張スロットの識別子Rの単一の拡張接点に電気的に接続されること、ならびに
少なくとも1つのグループの入出力接点の識別子Tが、次の関係式、
T = [(R + D x S) modulo (N)]
に従って、RおよびS識別子の関数として計算され、ただしDが、各グループにおいて固定され、自然数Nの整数約数(integer sub-multiple)であることを特徴とする、電子回路に関する。
【０００７】
有利には、本発明の電子回路は、航空機のための電子回路の開発全体にわたって回路基板を設計し、この設計を適合させることを可能にする。
【０００８】
有利には、本発明に従って設計される電子回路は、異なる種類の航空機に容易に適合させることができる。
【０００９】
いくつかの特定の実施形態によると、電子回路は、次の特徴の1つまたは複数を単独でまたは組み合わせて備え、すなわち、
-  それは、少なくとも1つの電子部品および前記電子部品に電気的に接続される少なくとも1つの接触ピンを備える少なくとも1つの拡張カードを含み、前記少なくとも1つの接触ピンは、拡張カードの一端に配置され、少なくとも1つの拡張スロットの少なくとも1つの拡張接点に挿入され、自然数Dは、前記接触ピン数以下であり、
-  前記少なくとも1つの電子部品は、複数の接触ピンに接続され、前記接触ピンは、互いに直接隣接し、
-  拡張接点は、左から右へまたは右から左へ昇順に識別子によって識別され、第1の拡張スロットと呼ばれる、入出力コネクタに直接接続される拡張スロットは、0に等しい識別子Sを有し、前記第1の拡張スロットに直接接続される前記拡張スロットは、1に等しい識別子Sを有し、
-  識別子Sは、0と少なくとも(N/D)-1との間で変化し、
-  自然数Dは、1に等しく、
-  自然数Dは、2に等しく、
-  自然数Dは、4に等しく、
-  入出力コネクタは、計算ユニットに組み込まれ、
-  それは、少なくとも2つのセットを有し、1つのセットの拡張接点は、1つのグループの入出力接点に電気的に接続され、
拡張スロットは、グリッド配置にマザーボード上で配置され、
同じセットの前記拡張スロットは、第1の直線に沿って並べられ、2つの異なるセットの少なくとも2つの拡張スロットは、第1の直線に垂直に延びる第2の直線に沿って並べられ、
-  それは、少なくとも1つの拡張スロットに挿入される少なくとも1つの拡張カードを有し、前記拡張カードは、マザーボードに垂直に延び、
-  それは、少なくとも1つの拡張スロットに挿入される少なくとも1つの拡張カードを有し、前記拡張カードは、マザーボードに平行に延びる。
【００１０】
本発明は、単に例としてかつ図を参照して与えられる、次の記述を読むことからより良く理解されることになる。
【図面の簡単な説明】
【００１１】
【図１】従来技術による電子回路の概略正面図である。
【図２】本発明による第1の例示的電子回路の概略正面図である。
【図３】本発明による電子回路の3つの拡張カードの概略図である。
【図４】機能が、2回実施される、図2に表される電子回路の概略正面図である。
【図５】本発明による第2の例示的電子回路の概略正面図である。
【図６】本発明による第3の例示的電子回路の斜視図を示す図である。
【発明を実施するための形態】
【００１２】
図2は、本発明の例示的実施形態を示す。この実施形態は、決して制限するものではない。
【００１３】
図2を参照すると、電子回路2は、マザーボード4、入出力コネクタ6、ならびにマザーボード4上に取り付けられる拡張スロット80から87の第1のセット7、第2のセット9、および第3のセット11を含む。
【００１４】
入出力コネクタ6は、入出力接点10の第1のグループ601、第2のグループ602、および第3のグループ603を備える。各グループは、N個の入出力接点を備える。Nは、2以上の自然数である。
【００１５】
例えば、図2に例示される実施形態では、第1のグループ601は、8つの入出力接点10を備える。第1のグループでは、自然数Nは、8に等しい。第2のグループ602は、7つの入出力接点10を備える。自然数Nは従って、第2のグループでは7に等しい。第3のグループ603は、8つの入出力接点10を備える。自然数Nは、第3のグループでは8に等しい。
【００１６】
本特許出願について、1つのグループの各入出力接点10は、1つの識別子Tによって識別される。これらのT識別子は、0より大きい自然数である。各グループ601、602、603では、T識別子は、0から始め、次いで1ずつ徐々に増加する。これらは、連続数である。グループの入出力接点10へのT識別子の割り当ては、入出力コネクタ6上でのそれらの場所と無関係である。
【００１７】
拡張スロット80から87は、拡張接点12を備える。各拡張スロット80から87は、異なる数の拡張接点12を有してもよい。
【００１８】
所与のセットの拡張スロット80から87の拡張接点12は、1つのグループの入出力接点10に電気的に接続される。それ故に、図2では、第1のセット7の拡張スロット80から87の拡張接点12は、第1のグループ601の入出力接点10に電気的に接続される。第2のセット9の拡張スロット80から83の拡張接点12は、第2のグループ602の入出力接点10に電気的に接続される。最後に、第3のセット11の拡張スロット80および81の拡張接点12は、第3のグループ603の入出力接点10に電気的に接続される。
【００１９】
同じセット7、9、11内では、拡張スロット80の拡張接点12は、電気的接続14によって異なる拡張スロット81の拡張接点12に接続される。
【００２０】
本発明について、拡張スロット80から87は、識別子Sによって識別される。拡張接点12は、識別子Rによって識別される。RおよびS識別子は、ゼロ以上の自然数である。R識別子は、ゼロから始まり、次いで1ずつ徐々に増加する。これらは、連続数である。
【００２１】
同様に、S識別子は、ゼロから始まり、次いで1ずつ徐々に増加する。S識別子は、連続数である。各セット7、9、11の拡張スロットのS識別子は、0と(Dで割られたN)-1との間であり、ただしDは、各グループについて固定される自然数であり、Dは、自然数Nの整数約数である。約数は、より大きい数に割り切ることができる数である。
【００２２】
本発明のために、入出力コネクタ6に直接接続される拡張スロットは、ゼロに等しい識別子を意味する、最低識別子を用いて識別される。それは以下では、第1の拡張スロット80と呼ばれる。第1の拡張スロット80は、識別子S=0を持つ。
【００２３】
第1の拡張スロット80に電気的に直接接続される拡張スロット81は、1を加えた最低識別子に等しい識別子を持つ。ここで、用語「直接接続される」は、媒介がないことを意味する。拡張スロット81はそれ故に、識別子S=1を持つ。それは、第2の拡張スロット81と呼ばれる。
【００２４】
第2の拡張スロット81に直接接続される拡張スロット82は、2を加えた最低識別子に等しい識別子を持つ。それは、識別子S=2を持つ。本特許出願では、それは、第3の拡張スロットと呼ばれる。
【００２５】
第1のセット7の拡張スロットの他の識別子は、同じ規則を使用して割り当てられる。
【００２６】
同様に、第2のセット9の拡張スロットの識別子は、同じ規則を使用して割り当てられ、その結果入出力コネクタ6に直接接続される拡張スロット80は、ゼロに等しい識別子を持つ。第1の拡張スロット80に電気的に直接接続される拡張スロット81は、識別子S=1を持つなどである。
【００２７】
R識別子は、各拡張スロットの拡張接点12に左から右へ割り当てられ、ゼロに等しい識別子から始め、最高識別子で終了する。
【００２８】
それ故に、拡張スロットの各拡張接点は、SおよびRを備える一対の識別子によって規定される。例えば、図2において12'と示される拡張接点は、S=2およびR=7の対によって識別される。
【００２９】
本発明によると、
-  セット7、9、11の識別子Sの各拡張スロット、および
-  このセット7、9、11の識別子Rの各接続拡張接点について、
グループ601、602、603の識別子Tの各入出力接点10は、識別子Sの拡張スロットの識別子Rの1つの拡張接点12'だけに電気的に接続され、
このグループ601、602、603の入出力接点10の識別子Tは、次の関係式、
T = [(R + D x S) modulo (N)]     (1)
に従ってRおよびS識別子の関数として計算され、ただしDは、各グループについて固定される自然数であり、Dは、自然数Nの整数約数である。
【００３０】
接続拡張接点は、別の拡張接点にまたは入出力接点に電気的に接続される拡張接点である。
【００３１】
この数学的関係式は、識別子を割り当てるための上述の方法が、使用されるとき、達成される。
【００３２】
各セット内では、連続する識別子によって識別される2つの拡張スロット間の、各電気的接続14は、これらの同じ2つの拡張スロット間のDまたはB-Dの他の電気的接続14を横断し、ただしBは、接続拡張接点数である。
【００３３】
第1のセット7内では、数Dは、1に等しい。それ故に、第1のセット7の第1の拡張スロット80と第2の拡張スロット81との間の電気的接続14'は、これらのスロット80、81間の7つの他の電気的接続14を横断し、第1のセット7の第1の拡張スロット80と第2の拡張スロット81との間の電気的接続14"は、これらのスロット80と81との間の別の電気的接続を横断する(この場合S=0、S=1、N=8、およびD=1)。
【００３４】
第2のセット9内では、数Dは、2に等しい。
【００３５】
第3のセット11内では、数Dは、4に等しい。
【００３６】
本発明による電子回路2は、拡張スロット80から87への挿入に適した拡張カード38、40、42を含む。拡張カード38、40、42は、図3に例示されるように、例えば8つの接触ピン44を有する、標準的カードであってもよい。
【００３７】
本発明によると、拡張カード上に取り付けられる電子部品46、48、50は、1つまたは複数の端部接触ピンに接続される。拡張カードの電子部品が、複数の接触ピンに接続されるとき、電子部品に接続される端部ピンは、連続して隣同士に(one next to another)配置される。
【００３８】
図3に示される例では、電子部品46、48、50は、右側の端部接触ピン44に接続される。別法として、電子部品は、左側の端部接触ピンに接続される。
【００３９】
単一の接触ピン44に接続される1つまたは複数の電子部品を有する拡張カード38は、Dが1に等しい拡張スロットのセットに入れられる。図2および図3の実施形態では、拡張カード38は、接触ピン44に接続される個別パワー信号発生器46を含む。この拡張カード38は、第1のセット7の拡張スロットの1つへの挿入に適している。
【００４０】
2つの接触ピンに接続される1つまたは複数の電子部品を有する拡張カード40は、2に等しいDによって規定される拡張スロットのグループに入れられる。図2および図3の実施形態では、拡張カード40は、2つの接触ピン44に接続される電圧計48を含む。拡張カード40は、第2のセット9の拡張スロットの1つに入れるのに適している。
【００４１】
最後に、4つの接触ピンに接続される1つまたは複数の電子部品を有する拡張カード42は、4に等しいDによって規定される拡張スロットのグループに入れられる。図2および図3の実施形態では、拡張カード42は、4つの接触ピン44に接続される、正確な抵抗測定の能力がある電子部品50を含む。拡張カード42は、第3のセット11の拡張スロットの1つに入れるのに適している。
【００４２】
拡張カードは、奇数の接触ピンに接続される電子部品を備えてもよい。例えば、電位差計が、拡張カード上に取り付けられるとき、3つの接触ピンが、電位差計に接続される。
【００４３】
本発明の電子基板の開発中に、開発者は、航空学において頻繁に使用される機能およびこれらの機能を実行するために実装されることになる接触ピンの数に基づいて、各セットと関連する自然数Nならびに自然数Dを選択する。
【００４４】
例えば、開発者は、D=0(直接接続)、D=1、D=2、およびD=4である、4つのセットを作るように選択してもよい。
【００４５】
Dの選択は、機能を実施するために接続されることになる接触ピンの数に基づいている。それ故に、D=1であるセットは、単一の接触ピン44に接続される複数の機能または電子部品があることになるということが、知られているとき、作られる。もし単一ピンを用いる多数の機能が、必要とされると信じられるならば、大きなNが、選択され、例えばN=8である。
【００４６】
数Nは、拡張カード上で利用可能なピンの数および他の機能のためにすでに使用されている接触ピンの数に基づいている。有利には、数Nは、生産コストおよび配送時間を低減するために、拡張スロット接点の標準的な数および拡張カードピンの標準的な数に対応する。
【００４７】
例えば、電子回路は、図2に示される電子回路2などの、N=8、D=1を有する第1のグループ、D=2を有する第2のグループ、およびD=4を有する第3のグループを考慮して設計可能である。
【００４８】
別法として、R識別子は、各拡張スロットの拡張接点12に右から左へ割り当てられ、最低識別子から始まり、最高識別子で終了する。
【００４９】
電気的接続を実装するこの仕方は、回路基板を完全にやり直す必要がなく回路基板によって実施される機能を変更することを可能にする。
【００５０】
例えば、回路基板4は最初に、第1のセット7の第1の拡張スロット80、第2の拡張スロット81、第3の拡張スロット82、および第5の拡張スロット84に挿入することを目的とする4つの拡張カード38を受け入れるように設計される。
【００５１】
第1の拡張スロット80(S=0)に挿入される拡張カードは、R=0と識別される拡張接点12に入りかつ/またはそこから出る信号を処理する。第2の拡張スロット81(S1)に挿入される拡張カードは、R=1と識別される拡張接点に入りかつ/またはそこから出る信号を処理する。R=0およびS=1と識別される拡張接点12によって受け取られる信号は、第1の拡張スロット80によって使用されていない。
【００５２】
第3の拡張スロット82(S=2)に挿入される拡張カードは、R=3と識別される拡張接点に入りかつ/またはそこから出る信号を処理する。第5の拡張スロット84に挿入される拡張カードは、R=0と識別される拡張接点に入りかつ/またはそこから出る信号を処理する。
【００５３】
もし航空機製造業者が、接触ピンに接続される1つまたは複数の電子部品によって実施される付加的機能を追加したいと思うならば、航空機製造業者は、S=3、S=5、またはS=6と識別される拡張スロットに新しい拡張カードを挿入することができる。
【００５４】
もし航空機製造業者が、特定の拡張スロットから拡張カードを、例えば第1のセットの第1の拡張スロット80に挿入された拡張カードを取り外したいと思うならば、この変更は、他の拡張カードに影響を及ぼすことなく行うことができる。そのような取り外しの場合、T=0と識別される入出力接点10ならびにS=0およびR=0と識別される拡張接点は、新しい拡張カードの追加のために利用可能にされる。
【００５５】
それ故に、有利には、拡張カードの取り外しは、入出力コネクタ6上の接続点の喪失をもたらさない。
【００５６】
電子部品に接続される2つの接触ピンを有する1つまたは複数の拡張カードはまた、第1のセット7の拡張スロットに挿入されてもよい。しかしながら、この場合、この拡張スロットに直接接続される次の拡張スロットは、拡張カードを受け入れることができない。
【００５７】
例えば、もし2つの接続された接触ピンを有する第1の拡張カード40が、第1の拡張スロット80(S=0)に挿入されるならば、S=1およびR=0と識別される拡張接点によって受け取られる信号は、第1の拡張スロット80に挿入された拡張カードの要件に従ってすでに規定され、それでそれは、後者のスロットが、S=0およびR=1と識別される拡張接点に供給される信号と同じ信号を使用しない限り、第2の拡張スロット81に挿入される拡張カードによって使用することができない。一般にそのような場合、第2の拡張カードは、S=2によって識別される第3の拡張スロット82に挿入される。
【００５８】
図4は、回路が、冗長性機能を実施するために使用されるとき、電子回路2の一部を示す。この図では、拡張カード52は、第1のセットの第4の拡張スロット83に挿入される。拡張カード52の電子部品は、第1のセットのS=3と識別される拡張スロットのR=0およびR=1と識別される拡張接点58、60に接続される。拡張カード54は、第2のセット9の拡張スロット83に差し込まれる。この拡張カード54の電子部品は、第2のセットのS=3と識別される拡張スロットのR=0およびR=1と識別される拡張接点62、64に接続される。拡張カード52および54は、同じ機能、例えば電圧測定を実施することができる。拡張カード56は、第1のセットの拡張スロットの拡張接点58、60、および第2のセットの拡張スロットの拡張接点62、64に接続される。この拡張カードは、拡張接点58を拡張接点62に電気的に接続する第1の電気的接続、および拡張接点60を拡張接点64に電気的に接続する第2の電気的接続を含む。
【００５９】
それ故に、有利には、拡張カード56は、1つのカードから他のものへのデータの伝達を可能にするので、同じ電気信号に基づいて拡張カード52および拡張カード54において実行される電圧測定に冗長性がある。
【００６０】
有利には、そのようなシステムは、冗長性特徴を実施するためのハーネスを簡略化する。実際、ハーネスの実装は、高価であり、エラーを起こしやすい。
【００６１】
図5を参照すると、本発明による電子回路20の別の実施形態は、マザーボード4、主計算ユニット30、第1の拡張スロット80、および第2の拡張スロット81を含む。
【００６２】
計算ユニット30は、T=0からT=7によって識別される8つの入出力接点10を含む。Nは、8に等しい。
【００６３】
第1の拡張スロット80は、識別子S=0によって識別される。それは、識別子R=0からR=7によって左から右へ識別される8つの拡張接点12を含む。
【００６４】
第2の拡張スロット81は、識別子S=1によって識別される。それは、識別子R=0からR=7によって左から右へ識別される8つの拡張接点12を含む。
【００６５】
この実施形態によると、方程式(1)は、2つの拡張スロットと計算ユニット30との間の電気的接続を記述する。本特許出願では、我々は、入出力コネクタが、計算ユニット30の一部であるまたはそれと統合されると言うことになる。
【００６６】
計算ユニット30の入出力接点10は、方程式(1)が満たされるように、この場合N=8およびD=4であるように、第1の拡張スロット80および第2の拡張スロット81の拡張接点12に電気的に接続される。
【００６７】
図6を参照すると、本発明による電子回路20の第3の例は、マザーボード4、入出力コネクタ6、入出力コネクタ6に接続される3つの電気的入出力接続22、および電気的接続22に電気的に接続される拡張スロット80から91を含む。
【００６８】
本発明の第1の実施形態と同様に、入出力コネクタ6は、識別子Tによって識別される入出力接点を含む。これらの入出力接点は、図6には示されない。
【００６９】
拡張スロット80から91は、棒状のソケットである。拡張スロット80から91は、識別子Sによって識別される。
【００７０】
拡張スロット80から91は、識別子Rによって識別される拡張接点を備える。これらの拡張接点は、図6には示されない。
【００７１】
電気的入出力接続22は、入出力データを入出力コネクタ6の入出力接点と拡張スロット80から91の拡張接点との間で伝達することができる。
【００７２】
電気的入出力接続22は、実質的に互いに平行に延びるようにマザーボード4上に形成される。
【００７３】
図示される実施形態では、電気的入出力接続22はまた、入出力コネクタ6に垂直に延びる。
【００７４】
図示される実施形態では、4つの拡張スロット80、81、82、83は、第1の電気的接続22によって互いにかつ入出力コネクタ6に電気的に接続される。これらの4つの拡張スロット80、81、82、83は、第1のセット24を形成する。
【００７５】
4つの拡張スロット84、85、86、87は、第2の電気的接続22によって互いにかつ入出力コネクタ6に電気的に接続される。これらの4つの拡張スロット84、85、86、87は、第2のセット26を形成する。
【００７６】
同様に、4つの拡張スロット88、89、90、91は、第3の電気的接続22によって互いにかつ入出力コネクタ6に電気的に接続される。それらは、第3のセット28を形成する。
【００７７】
本発明によると、各セット内では、識別子Tの入出力接点はそれぞれ、T識別子が、方程式(1)を満たす状態で、識別子Sの拡張スロットの識別子Rの拡張接点に電気的に接続される。
【００７８】
有利には、この実施形態によると、拡張スロット80から91は、グリッド配置にマザーボード4上で配置される。それ故に、第1のセットの拡張スロット80、81、82、83は、第1の直線D1に配置される。第1のセット24の第1の拡張スロット80(入出力コネクタ6に直接接続されるスロット)、第2のセット26の第1の拡張スロット84(入出力コネクタ6に直接接続されるスロット)、および第3のセット28の第1の拡張スロット88は、第1の直線D1に垂直な第2の直線D2に沿って並べられる。同様に、第1のセット24の第2の拡張スロット81(言い換えれば第1の拡張スロット80に直接接続される拡張スロット)、第2のセットの第2の拡張スロット85、および第3のセットの第2の拡張スロット89は、第1の直線D1に垂直な線に沿って並べられる。
【００７９】
電子回路20はさらに、プロセッサなどの主計算ユニット30、拡張スロット80から91に接続される拡張カード32、34、36、および拡張スロット80から91を主計算ユニット30に接続する拡張接続を備える。
【００８０】
拡張カード32は、拡張スロット81に挿入される。それは、マザーボード4の主平面に垂直な平面内に延びる。
【００８１】
拡張カード34は、2つの拡張スロット87および91に挿入され、それらの間に延びる。それは、マザーボード4の主平面に垂直な平面内に延びる。
【００８２】
拡張カード36は、4つの拡張スロット84、88、85および89に挿入される。それは、マザーボード4の主平面に平行な平面内に延びる。はめ込み型(male/female)コネクタが、拡張カード36と拡張スロット84、88、85、89との間に挿入される。
【００８３】
有利には、この回路基板は、新しい回路基板の製作を必要とすることなく異なる機能を実施するために標準的な仕方で使用することができる。本発明による回路基板は、異なる機能を実施するように適合させることができる。本発明を用いると、もはや特注の回路基板を作る必要はなく、言い換えれば実施すべきすべての機能をあらかじめ予測し、すべてのこれらの機能に基づいて回路基板を作る必要はない。
【符号の説明】
【００８４】
2  電子回路、回路基板
4  マザーボード
6  入出力コネクタ
7  拡張スロットの第1のセット
9  拡張スロットの第2のセット
10  入出力接点
11  拡張スロットの第3のセット
12  拡張接点
12'  拡張接点
14  電気的接続
14'  電気的接続
14"  電気的接続
20  電子回路
22  電気的入出力接続
24  拡張スロットの第1のセット
26  拡張スロットの第2のセット
28  拡張スロットの第3のセット
30  主計算ユニット
32  拡張カード
34  拡張カード
36  拡張カード
38  拡張カード
40  拡張カード
42  拡張カード
44  接触ピン
46  電子部品、個別パワー信号発生器
48  電子部品、電圧計
50  電子部品
52  拡張カード
53  拡張カード
54  拡張カード
56  拡張カード
58  拡張接点
60  拡張接点
62  拡張接点
64  拡張接点
80  拡張スロット
81  拡張スロット
82  拡張スロット
83  拡張スロット
84  拡張スロット
85  拡張スロット
86  拡張スロット
87  拡張スロット
88  拡張スロット
89  拡張スロット
90  拡張スロット
91  拡張スロット
102  電子回路
104  マザーボード
106  入出力コネクタ
108  拡張カード
110  入出力接点
112  拡張接点
114  接触ピン
116  電子部品
130  主計算ユニット
180  拡張スロット
181  拡張スロット
182  拡張スロット
601  入出力接点の第1のグループ
602  入出力接点の第2のグループ
603  入出力接点の第3のグループ
【図１】
2019518329.tif 000003
【図２】
2019518329.tif 000004
【図３】
2019518329.tif 000005
【図４】
2019518329.tif 000006
【図５】
2019518329.tif 000007
【図６】
2019518329.tif 000008
【手続補正書】
【提出日】平成31年1月8日(2019.1.8)
【手続補正１】
【補正対象書類名】明細書
【補正対象項目名】００３３
【補正方法】変更
【補正の内容】
【００３３】
第1のセット7内では、数Dは、1に等しい。それ故に、第1のセット7の第2の拡張スロット81と第3の拡張スロット82との間の電気的接続14'は、これらのスロット81、82間の7つの他の電気的接続14を横断し、第1のセット7の第2の拡張スロット81と第3の拡張スロット82との間の電気的接続14"は、これらのスロット81と82との間の別の電気的接続を横断する(この場合S=0、S=1、N=8、およびD=1)。
【手続補正２】
【補正対象書類名】明細書
【補正対象項目名】００５２
【補正方法】変更
【補正の内容】
【００５２】
第3の拡張スロット82(S=2)に挿入される拡張カードは、R=3と識別される拡張接点に入りかつ/またはそこから出る信号を処理する。第6の拡張スロット85に挿入される拡張カードは、R=0と識別される拡張接点に入りかつ/またはそこから出る信号を処理する。
【手続補正３】
【補正対象書類名】明細書
【補正対象項目名】００５８
【補正方法】変更
【補正の内容】
【００５８】
図4は、回路が、冗長性機能を実施するために使用されるとき、電子回路2の一部を示す。この図では、拡張カード52は、第1のセットの第4の拡張スロット83に挿入される。拡張カード52の電子部品は、第1のセットのS=3と識別される拡張スロットのR=0およびR=1と識別される拡張接点58、60に接続される。拡張カード54は、第2のセット9の拡張スロット83に差し込まれる。この拡張カード54の電子部品は、第2のセットのS=3と識別される拡張スロットのR=5およびR=6と識別される拡張接点62、64に接続される。拡張カード52および54は、同じ機能、例えば電圧測定を実施することができる。拡張カード56は、第1のセットの拡張スロットの拡張接点58、60、および第2のセットの拡張スロットの拡張接点62、64に接続される。この拡張カードは、拡張接点58を拡張接点62に電気的に接続する第1の電気的接続、および拡張接点60を拡張接点64に電気的に接続する第2の電気的接続を含む。
【手続補正４】
【補正対象書類名】明細書
【補正対象項目名】００７８
【補正方法】変更
【補正の内容】
【００７８】
有利には、この実施形態によると、拡張スロット80から91は、グリッド配置にマザーボード4上で配置される。それ故に、第1のセットの拡張スロット80、81、82、83は、第1の直線D1に配置される。第1のセット24の第1の拡張スロット80(入出力コネクタ6に直接接続されるスロット)、第2のセット26の第1の拡張スロット84(入出力コネクタ6に直接接続されるスロット)、および第3のセット28の第1の拡張スロット88は、第1の直線D1に垂直な第2の直線D2に沿って並べられる。同様に、第1のセット24の第3の拡張スロット82(言い換えれば第1の拡張スロット80に直接接続される拡張スロット)、第2のセットの第2の拡張スロット85、および第3のセットの第2の拡張スロット89は、第1の直線D1に垂直な線に沿って並べられる。
【国際調査報告】
2019518329.tif 000009
2019518329.tif 000010
2019518329.tif 000011
2019518329.tif 000012